(57)【要約】【課題】地上波デジタル放送受信装置の形状を小さくする。【解決手段】ＰＬＬ回路１１及びＰＬＬ回路１２に選局データを送出するＰＬＬデータ送出器１３を設け、複数個のセグメント中の希望のセグメントを局部発振器３を制御して選局するとともに、隣接の妨害信号の周波数をＳＡＷフィルタ２０の減衰域に設けるように、ＰＬＬデータ送出器１３で局部発振器３の発振周波数を制御して微少量移動させるとともに、局部発振器１６の発振周波数を制御して、混合器１５から出力される周波数を一定の周波数にするものである。これにより、地上波デジタル放送受信装置の形状を小さくすることができる。【選択図】　図１
2004007027.tif 000002
【特許請求の範囲】
【請求項１】
アナログＴＶ放送波のチャンネル間に挿入されるとともに、１チャンネル中に複数個のセグメントを含む地上波デジタル放送信号が入力されるアンテナと、このアンテナに入力された信号が一方の入力に供給されるとともに、他方の入力には第１の局部発振器の出力が接続された第１の混合器と、この第１の混合器からの中間周波数信号が接続されるとともに１セグメントの帯域幅以上の通過帯域幅を有する狭帯域ＳＡＷフィルタと、この狭帯域ＳＡＷフィルタの出力がその一方の入力に接続されるとともに、他方の入力には第２の局部発振器の出力が接続された第２の混合器と、この第２の混合器の出力が接続されるとともに１セグメント分の帯域幅を有するローパスフィルタと、前記第１の局部発振器にループ接続されるとともに前記第１の局部発振器の発振周波数を制御する第１のＰＬＬ回路と、前記第２の局部発振器にループ接続されるとともに前記第２の局部発振器の発振周波数を制御する第２のＰＬＬ回路と、前記第１のＰＬＬ回路及び前記第２のＰＬＬ回路に選局データを送出するＰＬＬデータ送出器とを有し、前記複数個のセグメント中の希望のセグメントを前記第１の局部発振器を制御して選局するとともに、隣接のアナログＴＶ放送の映像搬送波信号または音声搬送波信号の周波数が前記狭帯域ＳＡＷフィルタの減衰域に設けられるように、前記ＰＬＬデータ送出器で前記第１の局部発振器の発振周波数を制御して微少量移動させるとともに、前記ＰＬＬデータ送出器で前記第２の局部発振器の発振周波数を制御して、前記第２の混合器から出力される第２の中間周波数を一定の周波数にする地上波デジタル放送受信装置。
【請求項２】
１チャンネル中の複数個のセグメントの中で、少なくとも最端のセグメントの選局時は、第１のＰＬＬ回路で第１の局部発振器を制御して、第１の中間周波数を、複数個のセグメントの略中央のセグメントを選局したときの周波数と異なる周波数とした請求項１に記載の地上波デジタル放送受信装置。
【請求項３】
中間周波数信号に変換されたセグメントの中心周波数は、このセグメント帯域が前記狭帯域ＳＡＷフィルタの通過帯域内になるように第１の局部発振器の周波数を制御するとともに、アナログＴＶ放送の搬送周波数を前記狭帯域ＳＡＷフィルタの通過帯域外になるように設定した請求項１に記載の地上波デジタル放送受信装置。
【請求項４】
第１の混合器から出力される周波数は、第１の混合器に入力される周波数よりも高くした請求項１に記載の地上波デジタル放送受信装置。
【請求項５】
ＰＬＬデータ送出器に、２以上の状態を設定する状態設定器を接続し、この状態設定器からの出力に応じて、局部発振器の発振周波数を制御する請求項１に記載の地上波デジタル放送受信装置。
【請求項６】
通過帯域が存在する周波数域毎に複数のグループに分類された狭帯域ＳＡＷフィルタを用いる請求項５に記載の地上波デジタル放送受信装置。
【請求項７】
狭帯域ＳＡＷフィルタに通過帯域が存在する周波数域毎に複数のグループに分類される識別電極を設けた請求項５に記載の地上波デジタル放送受信装置。
【請求項８】
ビットエラーレートデータ出力を有する復調器を用いるとともに、この復調器とＰＬＬデータ送出器との間にビットエラーレート判定器を設け、前記ビットエラーレート判定器の判定結果に基づいて、前記ビットエラーレートが予め定められた値以下になるように、局部発振器の発振周波数を制御する請求項１に記載の地上波デジタル放送受信装置。
【請求項９】
予め定められた内符号訂正後のビットエラーレート判定値を２×１０のマイナス４乗とした請求項８に記載の地上波デジタル放送受信装置。
【請求項１０】
第２の混合器は、周波数オフセットを設定された前記第２の局部発振器の出力と、狭帯域ＳＡＷフィルタの出力とを混合し、互いに異なった位相の第２の中間周波数信号を出力する請求項１に記載の地上波デジタル放送受信装置。
【発明の詳細な説明】
【０００１】
【発明の属する技術分野】
本発明は、アナログＴＶ放送波のチャンネル間に挿入されるとともに、アナログＴＶ放送波に比べて低出力レベルの地上波デジタル放送を受信する地上波デジタル放送受信装置に関するものである。
【０００２】
【従来の技術】
従来の地上波デジタル放送受信装置は図９に示すように、１チャンネル中に複数個のセグメントを含む地上波デジタル放送信号が入力されるアンテナ１と、このアンテナ１に接続された高周波増幅器２と、この高周波増幅器２の出力が一方の入力に接続されるとともに、他方の入力には局部発振器３の出力が接続された混合器４と、この混合器４の出力が接続された通過帯域が６ＭＨｚの弾性表面波（以下、ＳＡＷという）フィルタ５と、このＳＡＷフィルタ５の出力が一方の入力に接続されるとともに、他方の入力には局部発振器６の出力が接続された混合器７と、この混合器７の出力が接続されるとともに通過帯域が略４２９ＫＨｚのＳＡＷフィルタ８と、このＳＡＷフィルタ８の出力が接続された復調器９と、この復調器９の出力が接続された出力端子１０と、前記局部発振器３にループ接続されたＰＬＬ回路１１と、前記局部発振器６にループ接続されたＰＬＬ回路１２とから構成されていた。
【０００３】
そして、前記１チャンネル中の複数個のセグメントの中で希望するセグメントを選局する場合は、ＰＬＬ回路１１、局部発振器３および混合器４により、そのチャンネルの中央のセグメントを選局し、混合器４の出力周波数を第１のあらかじめ決められた５７ＭＨｚ（中間周波数という）に変換し、ＳＡＷフィルタ５により選局したチャンネル外の帯域を減衰させていた。また、ＰＬＬ回路１２、局部発振器６及び混合器７で所望のセグメントの周波数を第２のあらかじめ決められた周波数（４ＭＨｚ）に再度変換してＳＡＷフィルタ８で希望セグメントのみを通過させ、それ以外の信号を減衰させていた。そして、復調器９でデジタル信号に変換し、出力端子１０から出力していた。
【０００４】
【発明が解決しようとする課題】
ところで、上記地上波デジタル放送は一般に上下隣接に高いレベルのアナログＴＶ放送信号が存在している。この隣接のアナログＴＶ放送信号も同時にアンテナ１に入力されるため、混合器４の出力にも、上記地上波デジタル放送信号の中間周波数と、この地上波デジタル放送信号と同時に入力されたアナログＴＶ放送信号の中間周波数が、それらの放送信号の周波数の差だけ離れたところに存在することになる。そして、一般に上記地上波デジタル放送信号の出力レベルは上記アナログＴＶ放送信号の出力レベルよりかなり小さいため、地上波デジタル放送信号を受信する際に前記アナログＴＶ放送信号が妨害になる。
【０００５】
このアナログＴＶ放送信号からの妨害を減少させるために、１チャンネルの放送波帯を通過させる通過帯域６ＭＨｚのＳＡＷフィルタ５、及び１セグメントの放送波を通過させる略４２９ＫＨｚのＳＡＷフィルタ８を設けている。しかし、高価なＳＡＷフィルタを２個使用していること及び、混合器４の出力周波数が５７ＭＨｚおよび復調器９への入力周波数が４ＭＨｚ程度であるため、ＳＡＷフィルタの形状が大きく、例えば地上波デジタル放送の特徴である携帯受信向けの受信装置への搭載には、形状が大きくなるという課題があった。
【０００６】
本発明は、このような問題点を解決するもので、形状の小さい地上波デジタル放送受信装置を提供することを目的としたものである。
【０００７】
【課題を解決するための手段】
この目的を達成するために本発明の地上波デジタル放送受信装置は、第１のＰＬＬ回路及び第２のＰＬＬ回路に選局データを送出するＰＬＬデータ送出器を設け、複数個のセグメント中の希望のセグメントを第１の局部発振器を制御して選局するとともに、隣接のアナログ放送の映像搬送波信号または音声搬送波信号の周波数を、１セグメントの帯域幅以上の通過帯域幅を有する狭帯域ＳＡＷフィルタの減衰域に設けるように、前記ＰＬＬデータ送出器で前記第１の局部発振器の発振周波数を制御して微少量移動させるとともに、前記ＰＬＬデータ送出器で第２の局部発振器の発振周波数を制御して、第２の混合器から出力される周波数を一定の周波数にするものである。
【０００８】
従って、ＳＡＷフィルタによって充分に妨害波を減衰することができるので、第２の混合器に接続されるバンドパスフィルタの減衰量が少なくて良い。つまり、このバンドパスフィルタとして大型のＳＡＷフィルタを使用する必要がないので、地上波デジタル放送受信装置の形状を小さくすることができる。
【０００９】
【発明の実施の形態】
本発明の請求項１に記載の発明は、アナログＴＶ放送波のチャンネル間に挿入されるとともに、１チャンネル中に複数個のセグメントを含む地上波デジタル放送信号が入力されるアンテナと、このアンテナに入力された信号が一方の入力に供給されるとともに、他方の入力には第１の局部発振器の出力が接続された第１の混合器と、この第１の混合器からの中間周波数信号が接続されるとともに１セグメントの帯域幅以上の通過帯域幅を有する狭帯域ＳＡＷフィルタと、この狭帯域ＳＡＷフィルタの出力がその一方の入力に接続されるとともに、他方の入力には第２の局部発振器の出力が接続された第２の混合器と、この第２の混合器の出力が接続されるとともに１セグメント分の帯域幅を有するローパスフィルタと、前記第１の局部発振器にループ接続されるとともに前記第１の局部発振器の発振周波数を制御する第１のＰＬＬ回路と、前記第２の局部発振器にループ接続されるとともに前記第２の局部発振器の発振周波数を制御する第２のＰＬＬ回路と、前記第１のＰＬＬ回路及び前記第２のＰＬＬ回路に選局データを送出するＰＬＬデータ送出器とを有し、前記複数個のセグメント中の希望のセグメントを前記第１の局部発振器を制御して選局するとともに、隣接のアナログＴＶ放送の映像搬送波信号または音声搬送波信号の周波数が前記狭帯域ＳＡＷフィルタの減衰域に設けられるように、前記ＰＬＬデータ送出器で前記第１の局部発振器の発振周波数を制御して微少量移動させるとともに、前記ＰＬＬデータ送出器で前記第２の局部発振器の発振周波数を制御して、前記第２の混合器から出力される第２の中間周波数を一定の周波数にする地上波デジタル放送受信装置であり、妨害波がＳＡＷフィルタの減衰域になるように制御するので、妨害波の減衰量が大きくなり、第２の混合器の後は少ない減衰量のローパスフィルタ接続で良く、ＳＡＷフィルタを使用する必要がない。
【００１０】
すなわち、地上波デジタル放送受信装置の小型化と低価格化を図ることができるという効果を有するものである。
【００１１】
請求項２に記載の発明は、１チャンネル中の複数個のセグメントの中で、少なくとも最端のセグメントの選局時は、前記第１のＰＬＬ回路で前記第１の局部発振器を制御して、第１の中間周波数を、前記複数個のセグメントの略中央のセグメントを選局したときの周波数と異なる周波数とした請求項１に記載の地上波デジタル放送受信装置であり、第１の中間周波数を、複数個のセグメントの略中央のセグメントを選局したときの周波数と異なる周波数としているので、妨害となる隣接アナログＴＶ放送の搬送波信号を中央のセグメントに選局したときと同様にＳＡＷフィルタで減衰させることができる。従って、地上波デジタル放送を良好に受信することができる。
【００１２】
請求項３に記載の発明は、第１の中間周波数に変換されたセグメントの中心周波数は、このセグメント帯域が狭帯域ＳＡＷフィルタの通過帯域内になるように第１の局部発振器の周波数を制御するとともに、アナログＴＶ放送の搬送周波数を前記狭帯域ＳＡＷフィルタの通過帯域外になるように設定した請求項１に記載の地上波デジタル放送受信装置であり、セグメント帯域は前記狭帯域ＳＡＷフィルタの通過帯域内であるので、減衰させることなく通過させることができる。また、妨害となる隣接アナログＴＶ放送信号は前記狭帯域ＳＡＷフィルタの通過帯域外にあるので、アナログＴＶ放送信号を確実にＳＡＷフィルタで減衰させることができ、地上波デジタル放送を良好に受信することができる。
【００１３】
請求項４に記載の発明における第１の混合器から出力される周波数は、第１の混合器に入力される周波数よりも高くした請求項１に記載の地上波デジタル放送受信装置であり、第１の混合器からの出力周波数が高くなるので、ＳＡＷフィルタは小型化が図れると共に、ローパスフィルタは普通のインダクタとチップコンデンサとで構成することや、集積回路に内蔵することができるので、小型化が図れるとともに、低価格化を図ることができる。
【００１４】
またイメージ妨害を少なくすることもできる。さらに、第１の混合回路から出力される周波数を入力端子に入力される周波数の略２倍以上にすれば、イメージ妨害を除去することができる。
【００１５】
請求項５に記載の発明は、ＰＬＬデータ送出器に、２以上の状態を設定する状態設定器を接続し、この状態設定器からの出力に応じて、局部発振器の発振周波数を制御する請求項１に記載の地上波デジタル放送受信装置であり、状態設定器の状態により、妨害となる隣接アナログＴＶ放送の搬送波信号をＳＡＷフィルタで減衰させることができるので、地上波デジタル放送を良好に受信できる。
【００１６】
請求項６に記載の発明は、通過帯域が存在する周波数域毎に複数のグループに分類された狭帯域ＳＡＷフィルタを用いる請求項５に記載の地上波デジタル放送受信装置であり、狭帯域ＳＡＷフィルタの通過帯域が存在する周波数にバラツキがあったとしても、同様の周波数毎に分類されているので、最適な中間周波数を簡単に設定することができる。従って、妨害となる隣接アナログＴＶ放送の搬送波信号を確実にＳＡＷフィルタで減衰させることができ、地上波デジタル放送を良好に受信できる。
【００１７】
請求項７に記載の発明は、狭帯域ＳＡＷフィルタに通過帯域が存在する周波数毎に複数のグループに分類される識別電極を設けた請求項５に記載の地上波デジタル放送受信装置であり、狭帯域ＳＡＷフィルタの実装時に自動的に状態設定を行うことができ、狭帯域ＳＡＷフィルタを取り替える場合において狭帯域ＳＡＷフィルタの特性を意識することなく取り替えることができる。
【００１８】
請求項８に記載の発明は、ビットエラーレートデータ出力を有する復調器を用いるとともに、この復調器とＰＬＬデータ送出器との間にビットエラーレート判定器を設け、前記ビットエラーレート判定器の判定結果に基づいて、前記ビットエラーレートが予め定められた値以下になるように、局部発振器の発振周波数を制御する請求項１に記載の地上波デジタル放送受信装置であり、ビットエラーレートを予め定められた値以下に管理しながら第１の中間周波数をシフトするので、地上波デジタル放送を完全に修復することができ、誤り無く受信できる地上波デジタル放送受信装置を得ることができる。
【００１９】
請求項９に記載の発明は、予め決められたビットエラーレート判定値を内符号訂正後で２×１０のマイナス４乗とした請求項８に記載の地上波デジタル放送受信装置である。上記ビットエラーレート値が良好に受信できるレベルの限界であり、確実に且つ効率良く地上波デジタル放送を受信することができる。
【００２０】
請求項１０に記載の発明は、第２の混合器は、周波数オフセットを設定された前記第２の局部発振器の出力と、狭帯域ＳＡＷフィルタの出力とを混合し、互いに異なった位相を有した２つの第２の中間周波数信号を出力する請求項１に記載の地上波デジタル放送受信装置であり、第２の混合器では、位相の異なる発振周波数信号と混合することによって、直接２つの信号を抽出することができる。従って別途これらの信号を抽出する回路等の付加は不要となるので、低価格な地上波デジタル放送受信装置を得ることができる。
【００２１】
（実施の形態）
以下、本発明の実施の形態について、図面に基づいて説明する。図２は実施の形態１における地上波デジタル放送受信装置の放送信号の説明図である。
【００２２】
図２において、６０は例えばアナログＴＶ放送の６チャンネルの信号であり、６１はアナログＴＶ放送の８チャンネルの信号である。そして、これらのアナログＴＶ放送の６チャンネル信号６０と８チャンネル信号６１との間に地上波デジタル放送の７チャンネル信号６２が挿入されている。
【００２３】
６０ａは、６チャンネル信号６０の映像搬送波信号であり、６０ｂは６チャンネル信号６０の音声搬送波信号である。映像搬送波信号６０ａと音声搬送波信号６０ｂとの間隔は４．５ＭＨｚであり、映像搬送波信号６０ａのレベルは音声搬送波信号６０ｂのレベルより略６ｄＢ大きい。
【００２４】
同様に、６１ａは、８チャンネル信号６１の映像搬送波信号であり、６１ｂは８チャンネル信号６１の音声搬送波信号である。映像搬送波信号６１ａと音声搬送波信号６１ｂとの間隔は４．５ＭＨｚであり、映像搬送波信号６１ａのレベルは音声搬送波信号６１ｂのレベルより略６ｄＢ大きい。
【００２５】
また、７チャンネル信号６２内には８つのセグメント６３が挿入されており、夫々が異なる内容のデジタル放送を送信している。このセグメント６３の幅は略４２９ＫＨｚである。また、このセグメント６３のレベルは映像搬送波信号６０ａ，６１ａや音声搬送波信号６０ｂ，６１ｂに比べてそのレベルがかなり小さい。本発明はこのようなデジタル放送信号とアナログＴＶ放送信号の混在や出力レベルの相違する放送波から確実にデジタル放送波を受信するためのものである。
【００２６】
次に図１は、本発明の実施の形態１における地上波デジタル放送受信装置のブロック図である。図１において本発明の地上波デジタル放送受信装置は、１チャンネル中に複数個のセグメントを含む地上波デジタル放送信号が入力されるアンテナ１と、このアンテナ１に接続された高周波増幅器２と、この高周波増幅器２の出力が一方の入力に接続されるとともに、他方の入力には局部発振器３の出力が接続され、略１２０５ＭＨｚの第１の中間周波数を出力する混合器４と、この混合器４の出力が接続された中心周波数１２０５ＭＨｚで通過帯域が略１．６ＭＨｚの狭帯域ＳＡＷフィルタ（以下単にＳＡＷフィルタという）２０と、このＳＡＷフィルタ２０の出力が一方の入力に接続されるとともに、他方の入力には周波数オフセットを設定した局部発振器１６の出力が接続され、位相が互いに９０°異なる２つの略５００ＫＨｚの第２の中間周波数を出力する混合器１５ａ，１５ｂと、この混合器１５ａ，１５ｂの出力が接続されたローパスフィルタ２１ａ，２１ｂと、このローパスフィルタ２１ａ，２１ｂの出力が接続された復調器１７と、この復調器１７の出力に接続された出力端子１８と、前記局部発振器３にループ接続されたＰＬＬ回路１１と、前記局部発振器１６にループ接続されたＰＬＬ回路１２と、ＰＬＬ回路１１およびＰＬＬ回路１２に向かってＰＬＬデータを送出するＰＬＬデータ送出器１３とから構成されている。１４は移相器であり、この移相器１４では局部発振器１６からの信号の位相を９０℃変化させている。
【００２７】
次に希望のセグメントを受信する動作について説明する。まず局部発振器３をＰＬＬ回路１１で制御して、ＰＬＬデータ送出器１３、ＰＬＬ回路１１、局部発振器３および混合器４により、複数個のセグメント１８中の希望するセグメントを選局する。
【００２８】
このとき、隣接してアナログＴＶ放送の映像搬送波信号または音声搬送波信号の周波数がある場合には、ＳＡＷフィルタ２０の減衰域を用いてこの妨害波を減衰させる。すなわち、ＰＬＬデータ送出器１３で局部発振器３の発振周波数を制御して微少量移動させて第１の中間周波数を、ＳＡＷフィルタ２０の減衰域まで移動させて、この妨害波を減衰させるものである。
【００２９】
次に、第１の中間周波数を微小量移動させるので、それを修復するために、ＰＬＬデータ送出器１３で局部発振器１６の発振周波数を制御して、混合器１５ａ，１５ｂから出力される周波数を一定した周波数（例えば５００ＫＨｚ）を有した第２の中間周波数信号にするものである。つまり、第２の局部発振器１６の発振周波数の周波数オフセットは、第２の中間周波数と同一の周波数にすることとなる。
【００３０】
このようにして、妨害波をＳＡＷフィルタ２０の減衰域に移動させることにより妨害波の減衰量が大きくなるので、混合器１５ａ，１５ｂに接続されるローパスフィルタ２１ａ，２１ｂの減衰量が少なくて良いことになる。従って、混合器１５ａ，１５ｂの後に設けられるフィルタの減衰特性は緩やかでも構わないので、ＳＡＷフィルタを使用する必要がない。
【００３１】
すなわち、第１の混合器からの周波数が高くなるので、ＳＡＷフィルタ２０は小型化を図ることができる。また、第２の中間周波数を通過域とするＳＡＷフィルタはその通過周波数が低いので大型になるが、ローパスフィルタ２１ａ，２１ｂは普通のインダクタとコンデンサとで構成することや、集積回路に内蔵することができるので、小型化が図れるとともに、低価格化が実現できる。従って、地上波デジタル放送受信装置の小型化と低価格化を図ることができる。
【００３２】
次に、入力端子１に入力された地上波デジタル放送信号とアナログＴＶ放送信号が、混合器４から出力された場合における第１の中間周波数とＳＡＷフィルタ２０との関係について図３を用いて説明する。
【００３３】
図３（ａ）ではセグメント３１を選局し、そのときの第１の中間周波数をＦ３５とする。Ｆ３５と隣接アナログＴＶ放送の搬送波３３の第１の中間周波数との差をＳ３４とする。図３（ａ）はセグメント３１を選局したときの第１の中間周波数Ｆ３５で隣接アナログＴＶ放送波の搬送波３３はＳＡＷフィルタ２０の減衰域３７ｂにあることがわかる。
【００３４】
図３（ｂ）の場合はセグメント３２を選局し、そのときの第１の中間周波数を、セグメント３１を選局したときと同じＦ３５にした場合である。セグメント３２と隣接アナログＴＶ放送の搬送波３３の第１の中間周波数との差Ｓ３６はＳ３４−４２９ＫＨｚとなりＳ３４より１セグメント幅分小さくなる。そのために隣接アナログＴＶ放送波の搬送波３３の第１の中間周波数がＳＡＷフィルタ２０の通過帯域３７内に入っている。こうなると、ＳＡＷフィルタ２０で隣接アナログＴＶ放送の搬送波３３を減衰させることができない。
【００３５】
一方、図３（ｃ）は同じくセグメント３２を選局した場合であるが、セグメント３２の第１の中間周波数をＦ３５より、周波数が高い方にＳ３８シフトしたものである。このようにシフトすることにより、隣接アナログＴＶ放送の搬送波３３の第１の中間周波数がＳＡＷフィルタ２０の減衰域３７ｂに入る。つまり、セグメント３２の選局時はセグメント３１の選局時と異なった第１の中間周波数にすることによって隣接アナログＴＶ放送の搬送波３３をＳＡＷフィルタ２０の減衰域３７ｂで減衰させることができる。
【００３６】
なお、セグメント３０を選局した場合はセグメント３１を選局した時の第１の中間周波数Ｆ３５と同じでいいことがわかる。なお、セグメントの第１の中間周波数は選局するセグメント３０，３１，３２によって異なるので、これを元に戻すため、図１において局部発振器１６はＰＬＬデータ送出器１３及びＰＬＬ回路１２で制御され、混合器１５ａ，１５ｂの出力周波数は決められた一定の周波数になるようにしている。
【００３７】
また、本実施の形態１において、２つの混合器１５ａ，１５ｂでは移相器１４で発生させた位相の異なる信号とＳＡＷフィルタ２０の出力とを混合し、２つの中間周波信号を抽出しているが、移相器１４を削除し、混合器をひとつだけとしても良い。この場合、ＳＡＷフィルタの通過帯域幅をアナログ放送信号の通過できる６ＭＨｚとするとともに、この混合器の下流にデジタル放送受信用とアナログ放送受信用の復調器を夫々設けてやれば、地上波デジタル放送と従来のアナログ放送のどちらも視聴することができる。
【００３８】
（実施の形態２）
図４は、本発明の実施の形態２における地上波デジタル放送受信装置のブロック図である。実施の形態２は、ＳＡＷフィルタ２７の通過帯域が存在する周波数域のバラツキにより、複数のグループに分類されているものを扱っている。
【００３９】
すなわち、実施の形態２における地上波デジタル放送受信装置は、１チャンネル中に複数個のセグメントを含む地上波デジタル放送信号が入力されるアンテナ１と、このアンテナ１に接続された高周波増幅器２と、この高周波増幅器２の出力が一方の入力に接続されるとともに、他方の入力には局部発振器３の出力が接続され、略１２０５ＭＨｚの第１の中間周波数を出力する混合器４と、この混合器４の出力が接続された中心周波数が略１２０５ＭＨｚで通過帯域が略１．６ＭＨｚのＳＡＷフィルタ２７と、このＳＡＷフィルタ２７の出力が一方の入力に接続されるとともに、他方の入力には周波数オフセットを設定した局部発振器１６の出力が接続され、位相が互いに９０°異なる２つの略５００ＭＨｚの第２の中間周波数を出力する混合器１５ａ，１５ｂと、この混合器１５ａ，１５ｂの出力が接続されたローパスフィルタ２１ａ，２１ｂと、このローパスフィルタ２１ａ，２１ｂの出力が接続された復調器１７と、この復調器１７の出力が接続された出力端子１８と、前記局部発振器３にループ接続されたＰＬＬ回路１１と、前記局部発振器１６にループ接続されたＰＬＬ回路１２と、ＰＬＬ回路１１およびＰＬＬ回路１２にＰＬＬデータを送出するＰＬＬデータ送出器２３と、このＰＬＬデータ送出器２３に接続されるとともに、スイッチ２５および２６の状態をデジタルデータでＰＬＬデータ送出器２３に送出する状態設定器２４とから構成されている。
【００４０】
ここで、ＳＡＷフィルタ２７は通過帯域が存在する周波数域の違いにより、複数のグループに分類され、識別されている。例えば、ＳＡＷフィルタ２７を３分類する。そして、その分類に対応してスイッチ２５及びスイッチ２６をそれぞれ（ＯＮ，ＯＮ）、（ＯＮ，ＯＦＦ）、（ＯＦＦ，ＯＮ）とする。そうすると、状態設定器２４の入力はＳＡＷフィルタ２７が分類（ｄ−１）のときはデジタル信号（０，０）となり、分類（ｄ−２）の時は（０，１）、分類（ｄ−３）の時は（１，０）となる。
【００４１】
ＳＡＷフィルタ２７の３分類の代表例を図５に示し説明する。図５（ａ）においてセグメント３２を選局する場合に、分類（ｄ−１）の時は状態設定器２４からデータ（０，０）を表すデータをＰＬＬデータ送出器２３に送り、ＰＬＬデータ送出器２３で計算してセグメント３２の第１の中間周波数をＩＦ３９ａになるようにＰＬＬデータをＰＬＬ回路１１に送出する。
【００４２】
図５（ｂ）は、分類（ｄ−２）の場合を示し、状態設定器２４からデータ（０，１）を表すデータをＰＬＬデータ送出器２３に送り、ＰＬＬデータ送出器２３で計算してセグメント３２の第１の中間周波数をＩＦ３９ｂになるようにＰＬＬデータをＰＬＬ回路１１に送出する。
【００４３】
図５（ｃ）は、分類（ｄ−３）の場合を示し、状態設定器２４からデータ（１，０）を表すデータをＰＬＬデータ送出器２３に与え、ＰＬＬデータ送出器２３で計算してセグメント３２の第１の中間周波数をＩＦ３９ｃになるようにＰＬＬデータをＰＬＬ回路１１に送出する。
【００４４】
このようにしてＳＡＷフィルタ２７のバラツキに対応して第１の中間周波数を変化し、隣接アナログ放送の搬送波３３をＳＡＷフィルタ２７の減衰域で減衰させる。
【００４５】
図６は、スイッチ２５，２６をＳＡＷフィルタ２７の底面４０に形成した例である。図６において、４１，４２はＳＡＷフィルタ２７の入出力電極である。４３，４４は識別電極である。この識別電極４３，４４はＳＡＷフィルタ２７の内部でグランド電極４５に接続されている。また、識別電極４３，４４の位置からは、状態設定器２４の入力に接続されるとともに電極Ｖｃｃに抵抗でプルアップされている。
【００４６】
図６においては、識別電極４３の位置には電極を形成しているので、ここからは「０」すなわち「あり」の信号が状態設定器２４の入力に向かって出力される。また、識別電極４４の位置には電極が形成されていないので、ここからは「１」すなわち「なし」の信号が状態設定器２４の入力に向かって出力される。
【００４７】
このように、ＳＡＷフィルタ２７の製作時にその特性に合わせて、識別電極４３，４４を形成しておけば、自動的にＳＡＷフィルタ４０の特性を検知して設定すべき第１の中間周波数ＩＦ３９ａ，ＩＦ３９ｂ，ＩＦ３９ｃを設定することができる。
【００４８】
（実施の形態３）
図７は、本発明の実施の形態３における地上波デジタル放送受信装置のブロック図である。
【００４９】
本発明の実施の形態３における地上波デジタル放送受信装置は、１チャンネル中に複数個のセグメントを含む地上波デジタル放送信号が入力されるアンテナ１と、このアンテナ１に接続された高周波増幅器２と、この高周波増幅器２の出力が一方の入力に接続されるとともに、他方の入力には局部発振器３の出力が接続され、略１２０５ＭＨｚの第１の中間周波数を出力する混合器４と、この混合器４の出力が接続された中心周波数１２０５ＭＨｚで通過帯域が略１．６ＭＨｚのＳＡＷフィルタ２０と、このＳＡＷフィルタ２０の出力が一方の入力に接続されるとともに、他方の入力には周波数オフセットを設定した局部発振器１６の出力が接続されるとともに、位相が互いに９０°異なる２つの略５００ＫＨｚの出力周波数を出力する混合器１５ａ，１５ｂと、この混合器１５ａ，１５ｂの出力が接続されたローパスフィルタ２１ａ，２１ｂと、このローパスフィルタ２１ａ，２１ｂの出力が接続されたビットエラーレートデータ出力を有する復調器５０と、この復調器５０の出力に接続された出力端子１８と、前記局部発振器３にループ接続されたＰＬＬ回路１１と、前記局部発振器１６にループ接続されたＰＬＬ回路１２と、ＰＬＬ回路１１およびＰＬＬ回路１２にＰＬＬデータを送出するＰＬＬデータ送出器５１と、復調器５０のビットエラーレートデータ出力を入力し、入力されたビットエラーレートがあらかじめ決められた判定基準を満たしているか否かの判定をし、その判定に従ってＰＬＬデータ送出器５１にＰＬＬデータの変更を指示するデータを送出するビットエラーレート判定器５２から構成されている。
【００５０】
このように構成された地上波デジタル放送受信動作の動作を図８で説明する。セグメント３２を選局した場合を考える。図８（ａ）のように最初にＰＬＬデータ送出器５１、ＰＬＬ回路１１及び局部発振器３を制御して混合器４から出力される第１の中間周波数ＩＦ５３ａを１２０５ＭＨｚにセグメント３２の周波数を変換する。この時に隣接アナログＴＶ放送の搬送波３３がＳＡＷフィルタ２０の通過帯域３７に入っている。このときの、隣接アナログＴＶ放送の搬送波３３が妨害となり、復調器５０から出力されるビットエラーレートデータがビットエラーレート判定器５２であらかじめ決められた判定基準（例えば内符号訂正後で２×１０のマイナス４乗）以上となる。
【００５１】
この判定基準以上にエラーが増すと後で修復することができないので、ビットエラーレート判定器５２は中間周波数ＩＦ５３ａの変更指示をＰＬＬデータ送出器５１に送る。ＰＬＬデータ送出器５１は若干ずらしたＰＬＬデータをＰＬＬ回路１１に送り、局部発振器３を制御し第１の中間周波数をＩＦ５３ｂにする。
【００５２】
その状態が図８（ｂ）である。図８（ｂ）では隣接アナログＴＶ放送の搬送波３３は図８（ａ）よりもＳＡＷフィルタ２０の減衰域３７ｂに近づいているが、まだ十分でない。
【００５３】
ビットエラーレート判定器５２はさらに第１の中間周波数ＩＦ３７ｂの変更をＰＬＬデータ送出器５１に指示し、ＰＬＬデータ送出器５１はさらに若干ずらしたＰＬＬデータをＰＬＬ回路１１に送り、局部発振器３を制御し第１の中間周波数をＩＦ５３ｃにする。
【００５４】
その状態が図８（ｃ）である。この状態で隣接アナログＴＶ放送の搬送波３３はＳＡＷフィルタ２０の減衰域３７ｂに十分入っており、隣接アナログＴＶ放送の搬送波３３が及ぼす妨害レベルが減少し、復調器５０から出力されるビットエラーレートの値がビットエラーレート判定器５２のあらかじめ決められた値以下になる。
【００５５】
このように制御することにより、もはやビットエラーレート判定器５２は、ＰＬＬデータ送出器５１に第１の中間周波数変更の指示を出さなくなり、第１の中間周波数ＩＦ５３ｃが決定される。すなわち、ビットエラーレート判定器５２であらかじめ良好な受信になるビットエラーレートを判定基準にしておくことにより、良好な地上波デジタル受信信号を得ることができる。この時のＰＬＬデータを記憶しておくことにより、次回選局時に最初から良好な受信になるＰＬＬデータを送ることもできる。
【００５６】
【発明の効果】
以上のように本発明の地上波デジタル放送受信装置によれば、第１の混合器から出力される第１の中間周波数をアンテナに入力される周波数より高く設定するとともに、周波数オフセットを設定した第２の局部発振器の出力が接続されるとともに、直交変換された数百ＫＨｚの第２の中間周波数を出力する第２の混合器と、この第２の混合器の出力が接続されるとともに１セグメントの帯域幅を有するローパスフィルタと、第１のＰＬＬ回路及び第２のＰＬＬ回路に選局データを送出するＰＬＬデータ送出器を設け、複数個のセグメント中の希望のセグメントを第１の局部発振器を制御して選局するとともに、隣接のアナログＴＶ放送の映像搬送波信号または音声搬送波信号の周波数をＳＡＷフィルタの減衰域に設けるように、前記ＰＬＬデータ送出器で前記第１の局部発振器の発振周波数を制御して微少量移動させるとともに、前記ＰＬＬデータ送出器で第２の局部発振器の発振周波数を制御して、第２の混合器から出力される第２の中間周波数を一定の周波数にするものであり、妨害波がＳＡＷフィルタの減衰域になるように制御するので、妨害波の減衰量が大きくなり、第２の混合器の後は減衰量の少ないローパスフィルタ接続でよく、ＳＡＷフィルタを使用する必要がない。
【００５７】
第１の混合器からの出力周波数が高くなるので、ＳＡＷフィルタは小型化が図れると共に、ローパスフィルタは普通のインダクタとコンデンサとで構成、あるいは集積回路に内蔵することができるので、小型化が図れるとともに、低価格化を図ることができる。すなわち、地上波デジタル放送受信装置の小型化と低価格化を図ることができるという効果を有するものである。
【図面の簡単な説明】
【図１】本発明の実施の形態１における地上波デジタル放送受信装置のブロック図
【図２】同、放送信号の説明図
【図３】同（ａ）は、中間周波数の第１の状態を示す説明図
同（ｂ）は、中間周波数の第２の状態を示す説明図
同（ｃ）は、中間周波数の第３の状態を示す説明図
【図４】本発明の実施の形態２における地上波デジタル放送受信装置のブロック図
【図５】同（ａ）は、中間周波数の第１の状態を示す説明図
同（ｂ）は、中間周波数の第２の状態を示す説明図
同（ｃ）は、中間周波数の第３の状態を示す説明図
【図６】同、他の方法によるＳＡＷフィルタ近傍の説明図
【図７】本発明の実施の形態３における地上波デジタル放送受信装置のブロック図
【図８】同（ａ）は、中間周波数の第１の状態を示す説明図
同（ｂ）は、中間周波数の第２の状態を示す説明図
同（ｃ）は、中間周波数の第３の状態を示す説明図
【図９】従来の地上波デジタル放送受信装置のブロック図
【符号の説明】
１　入力端子
２　高周波増幅器
３　局部発振器
４　混合器
１１　ＰＬＬ回路
１２　ＰＬＬ回路
１３　ＰＬＬデータ送出器
１４　移相器
１５ａ，１５ｂ　混合器
１６　局部発振器
１７　復調器
１８　出力端子
２０　ＳＡＷフィルタ
２１ａ，２１ｂ　ローパスフィルタ
【図１】
2004007027.tif 000003
【図２】
2004007027.tif 000004
【図３】
2004007027.tif 000005
【図４】
2004007027.tif 000006
【図５】
2004007027.tif 000007
【図６】
2004007027.tif 000008
【図７】
2004007027.tif 000009
【図８】
2004007027.tif 000010
【図９】
2004007027.tif 000011